(57)【要約】【課題】  装置本体の大型化を抑えた上で、両面コピーの処理効率を向上させることができるようにする。【解決手段】  画像形成装置１０は、定着処理後の表面転写済引出し紙Ｒ０を表面転写済ロール紙Ｒ２としてストックする前記装置本体１１の所定の位置に設けられたストック部３０と、定着処理後の引出し紙Ｒ０を装置本体１１外へ排紙する系外排紙処理とストック部３０へ一時的に排紙する系内排紙処理との間で切り換える排紙処理切換え手段と、ストック部３０にストックされている表面転写済ロール紙Ｒ２を引出して反転させる反転機構５０と、反転機構５０によって反転された表面転写済ロール紙Ｒ２を画像形成部１８へ返送して裏面側の画像転写に供する返送搬送路６０とを備えている。【選択図】      図２
2005258251.tif 000002
【特許請求の範囲】
【請求項１】
装置本体に内装された用紙貯留部から給紙される転写用のロール紙から引出された引出し紙に対して画像形成部で所定の画像形成処理を施した後に当該転写画像に定着処理を施す画像形成装置において、
定着処理後の表面転写済引出し紙を表面転写済ロール紙としてストックする前記装置本体の所定の位置に設けられたストック部と、
前記定着処理後の引出し紙を装置本体外へ排紙する系外排紙処理と、前記ストック部へ一時的に排紙する系内排紙処理との間で切り換える排紙処理切換え手段と、
前記ストック部にストックされている表面転写済ロール紙を引き出して反転させる反転機構と、
前記反転機構によって反転された表面転写済ロール紙を画像形成部へ返送して裏面側の画像転写に供する返送搬送路とを備えていることを特徴とする画像形成装置。
【請求項２】
前記用紙貯留部に貯留されているロール紙から引出し紙が引き出された状態でその下流端部を幅方向の全長に亘ってカットするカッターが設けられていることを特徴とする請求項１記載の画像形成装置。
【請求項３】
前記排紙処理切換え手段は、定着処理後の引出し紙を装置本体外に向けてガイドする系外排紙姿勢と、前記ストック部に向けてガイドする系内排紙姿勢との間で姿勢変更可能な第１ガイド板を備えて構成されていることを特徴とする請求項１または２記載の画像形成装置。
【請求項４】
前記反転機構は、前記ストック部の出入口に設けられた搬送ローラ対と、この搬送ローラ対と直列に並設された第２ガイド板とを有し、
前記搬送ローラ対は、定着処理後の引出し紙をストック部へ向けて搬送する正駆動と、ストックされた引出し紙をストック部から引き出す逆駆動との間で切り換え可能に構成され、
前記第２ガイド板は、前記搬送ローラ対が正駆動している状態で定着処理後の引出し紙を前記ストック部に向けてガイドする対ストック部ガイド姿勢と、前記搬送ローラ対が逆駆動することによってストック部から引き出された引出し紙を画像形成部へ向わせる対画像形成部ガイド姿勢との間で姿勢変更可能に構成されていることを特徴とする請求項１乃至３のいずれかに記載の画像形成装置。
【請求項５】
前記ストック部は、板状体が渦巻き状に形成されてなるコイル状ストックユニットによって形成されていることを特徴とする請求項１乃至４のいずれかに記載の画像形成装置。
【請求項６】
前記ストック部は、前記装置本体内に設けられていることを特徴とする請求項１乃至５のいずれかに記載の画像形成装置。
【請求項７】
前記ストック部は、前記装置本体外に設けられていることを特徴とする請求項１乃至５のいずれかに記載の画像形成装置。
【発明の詳細な説明】
【技術分野】
【０００１】
本発明は、渦巻き状に巻回された、いわゆるロール紙を転写用紙として使用するロール紙用の画像形成装置に関するものである。
【背景技術】
【０００２】
従来、特許文献１に記載されているような、ロール紙を転写用紙として使用する画像形成装置が知られている。この画像形成装置は、装置本体内の下部のホッパに貯留されているロール紙から引き出された引出し紙に対して画像形成部で画像転写処理を施すとともに、当該引出し紙を所定の長さでカットし、得られたカット紙の転写画像に対し定着処理を施してから当該カット紙をスタッカに排紙するようになっている。
【０００３】
そして、用紙の両面に転写処理を施す、いわゆる両面コピーを行うに際しては、カット紙の表面側に施された転写画像に対して定着処理を施した後に当該カット紙を画像形成部と平行に配されたスイッチバック搬送路に導き入れ、このスイッチバック搬送路から表裏を反転させた状態のカット紙を画像形成部に再度供給し、これによってカット紙の裏面側に転写処理を施すようになされている。
【特許文献１】特開平７−３０４２２０号公報
【発明の開示】
【発明が解決しようとする課題】
【０００４】
ところで、上記のような画像形成装置にあっては、一旦所定のサイズにカットされたカット紙に対してスイッチバックを行わせることにより当該カット紙に表裏反転処理が施されるため、定着装置の上流側にカット紙の長さ寸法より長い当該カット紙を一時貯留する貯留空間を確保しなければならず、これによって装置本体が大型化するという問題点が存在する。
【０００５】
また、ロール紙は、Ａ４サイズやＢ５サイズ等の定形サイズにカットされるのが一般的であるため、複数ページに亘って両面コピーが行われるときには、各カット紙を１枚ずつ一時貯留空間に送り込んでから一々スイッチバックさせて裏面側に転写処理を施さなければならず、これによって両面コピーの処理効率が低下するという問題点も存在する。
【０００６】
本発明は、かかる問題点を解消するためになされたものであって、装置本体の大型化を抑えた上で、両面コピーの処理効率を向上させることができるロール紙用の画像形成装置を提供することを目的としている。
【課題を解決するための手段】
【０００７】
請求項１記載の発明は、装置本体に内装された用紙貯留部から給紙される転写用のロール紙から引出された引出し紙に対して画像形成部で所定の画像形成処理を施した後に当該転写画像に定着処理を施す画像形成装置において、定着処理後の表面転写済引出し紙を表面転写済ロール紙としてストックする前記装置本体の所定の位置に設けられたストック部と、前記定着処理後の引出し紙を装置本体外へ排紙する系外排紙処理と、前記ストック部へ一時的に排紙する系内排紙処理との間で切り換える排紙処理切換え手段と、前記ストック部にストックされている表面転写済ロール紙を引き出して反転させる反転機構と、前記反転機構によって反転された表面転写済ロール紙を画像形成部へ返送して裏面側の画像転写に供する返送搬送路とを備えていることを特徴とするものである。
【０００８】
かかる構成を採用したことにより、用紙貯留部に貯留されているロール紙から引き出された引出し紙は、画像形成部で表面側に画像が転写された後に定着処理が施されて表面転写済引出し紙になる。この表面転写処理済引出し紙は、排紙処理切換え手段が系内排紙処理に設定された状態で、装置本体の所定の位置に形成されたストック部に一時的にストックされて表面転写済ロール紙になる。この表面転写済ロール紙は、反転機構によってストック部から引き出されて表裏が反転され、返送搬送路を通って画像形成部へ返送される。そして、画像形成部へ返送された引出し紙は、その裏面側に転写処理が施され、今度は系外排紙処理に設定された排紙処理切換え手段を介して装置本体外に排紙される。
【０００９】
請求項２記載の発明は、請求項１記載の発明において、前記用紙貯留部に貯留されているロール紙を幅方向の全長に亘ってカットするカッターが設けられていることを特徴とするものである。
【００１０】
かかる構成を採用すれば、ロール紙から引き出された引出し紙を所定の位置で幅方向の全長に亘ってカットすることにより、引出し紙は短くなって両面コピーのための反転処理が容易になるとともに、転写処理後の用紙は、枚葉紙として出力される。
【００１１】
請求項３記載の発明は、請求項１または２記載の発明において、前記排紙処理切換え手段は、定着処理後の引出し紙を装置本体外に向けてガイドする系外排紙姿勢と、前記ストック部に向けてガイドする系内排紙姿勢との間で姿勢変更可能な第１ガイド板を備えて構成されていることを特徴とするものである。
【００１２】
かかる構成を採用したことにより、定着処理が施された後の引出し紙は、第１ガイド板が系外排紙姿勢に姿勢設定された状態では、当該第１ガイド板のガイドにより装置本体の外部に排紙される一方、第１ガイド板が系内排紙姿勢に姿勢設定された状態では、当該第１ガイド板のガイドによりストック部に向けて排紙される。
【００１３】
請求項４記載の発明は、請求項１乃至３のいずれかに記載の発明において、前記反転機構は、前記ストック部の出入口に設けられた搬送ローラ対と、この搬送ローラ対と直列に並設された第２ガイド板とを有し、前記搬送ローラ対は、定着処理後の引出し紙をストック部へ向けて搬送する正駆動と、ストックされた引出し紙をストック部から引き出す逆駆動との間で切り換え可能に構成され、前記第２ガイド板は、前記搬送ローラ対が正駆動している状態で定着処理後の引出し紙を前記ストック部に向けてガイドする対ストック部ガイド姿勢と、前記搬送ローラ対が逆駆動することによってストック部から引き出された引出し紙を画像形成部へ向わせる対画像形成部ガイド姿勢との間で姿勢変更可能に構成されていることを特徴とするものである。
【００１４】
かかる構成を採用したことにより、両面コピーを行うに際し、表面側に転写処理が施された後に定着処理が施された引出し紙は、対ストック部ガイド姿勢に姿勢設定された第２ガイド板にガイドされることにより搬送ローラ対に捕捉され、当該搬送ローラ対の正駆動によってストック部へ一旦送り込まれる。ついで、第２ガイド板が対画像形成部ガイド姿勢に姿勢設定された状態で搬送ローラ対が逆駆動されることにより、ストック部に一時貯留されていた引出し紙は、第２ガイド板にガイドされて表裏が反転され、この表裏反転状態で画像形成部へ返送されて裏面側に画像転写処理が施された後、再度定着処理が施されて外部に排紙される。
【００１５】
請求項５記載の発明は、請求項１乃至４のいずれかに記載の発明において、前記ストック部は、板状体が渦巻き状に形成されてなるコイル状ストックユニットによって形成されていることを特徴とするものである。
【００１６】
かかる構成を採用したことにより、コイル状ストックユニットへ導入された引出し紙は、当該コイル状ストックユニットの渦巻状の隙間に嵌り込んでいくことによりストック部に収納貯留される。そして、引出し紙は、コイル状ストックユニットに渦巻状で貯留されることにより、引出し紙を伸長状態で貯留する場合に比較し、他の機器との干渉をなくし、かつ、占有空間を少なく抑えた状態で装置本体内に貯留される。
【００１７】
請求項６記載の発明は、請求項１乃至５のいずれかに記載の発明において、前記ストック部は、前記装置本体内に設けられていることを特徴とするものである。
【００１８】
かかる構成を採用したことにより、ストック部が装置本体内に設けられていることで画像形成装置の外観視が簡素なものになる。
【００１９】
請求項７記載の発明は、請求項１乃至５のいずれかに記載の発明において、前記ストック部は、前記装置本体外に設けられていることをものである。
【００２０】
かかる構成を採用したことにより、ストック部が装置本体外に設けられていることで装置本体のさらなるコンパクト化が実現される。
【発明の効果】
【００２１】
請求項１記載の発明によれば、用紙貯留部に貯留されているロール紙から引き出された引出し紙は、画像形成部で表面側に画像が転写された後に定着処理が施されて表面転写済引出し紙になり、この表面転写処理済引出し紙は、排紙処理切換え手段が系内排紙処理に設定された状態で、装置本体の所定の位置に形成されたストック部に一時的にストックされて表面転写済ロール紙になり、渦巻き状で一時収納されるため、従来のようにロール紙から引き出された引出し紙が一旦カットされてカット紙とされ、このカット紙に反転処理が施される場合に比較し、反転のために用いられる空間を小さくすることができ、これによって、装置本体の大型化を抑えることが可能になり、画像形成装置のコンパクト化を図る上で有効である。
【００２２】
また、複数ページに亘って両面コピーが行われるときであっても予め設定された所定長のロール紙の全長に亘って一気に両面コピーを施すことができるため、各カット紙の１枚ずつを一時貯留空間に送り込んでから一々スイッチバックさせて裏面側に転写処理を施さなければならない従来の方式に比較し、両面コピーの処理効率を大幅に向上させることができる。
【００２３】
請求項２記載の発明によれば、カッターによってロール紙から引出し紙が引き出された引出し紙を幅方向の全長に亘ってカットすることにより、引出し紙は短くなって両面コピーのための反転処理が容易になるとともに、転写処理後の用紙は枚葉紙として出力されるため、出力後の長い引出し紙をわざわざ切断して枚葉紙にする必要がなくなり、その分作業効率を向上させることができる。
【００２４】
請求項３記載の発明によれば、定着処理が施された後の引出し紙は、第１ガイド板が系外排紙姿勢に姿勢設定された状態で当該第１ガイド板のガイドにより装置本体の外部に排紙される一方、第１ガイド板が系内排紙姿勢に姿勢設定された状態で当該第１ガイド板のガイドによりストック部に向けて排紙され、排紙処理切換え手段の構造を簡単なものにした上で、状況に応じて引出し紙の行き先を確実に仕分けることができる。
【００２５】
請求項４記載の発明によれば、搬送ローラ対の正逆駆動と、第２ガイド板の姿勢変更との組み合わせによって、表面側に転写処理が施された後の引出し紙の表裏反転処理と、反転された引出し紙の画像形成部への返送処理とを確実に行うことが可能になり、引出し紙の表裏反転構造を簡単なものにし得ることによって製造コストの低減化に貢献することができる。
【００２６】
請求項５記載の発明によれば、コイル状ストックユニットへ導入された引出し紙は、コイル状ストックユニットに渦巻状で貯留されることにより、引出し紙を伸長状態で貯留する場合に比較し、他の機器との干渉をなくし、かつ、占有空間を少なく抑えた状態で装置本体内に貯留されるため、装置本体のコンパクト化に貢献することができる。
【００２７】
請求項６記載の発明によれば、ストック部が装置本体内に設けられているため、画像形成装置の装置本体の外観視をデザイン的に優れた簡素なものにすることができる。
【００２８】
請求項７記載の発明によれば、ストック部が装置本体外に設けられているため、画像形成装置の装置本体のさらなるコンパクト化に貢献することができる。
【発明を実施するための最良の形態】
【００２９】
図１は、本発明に係る画像形成装置の一実施形態を示す外観斜視図である。なお、この図において、Ｘ−Ｘ方向を幅方向、Ｙ−Ｙ方向を前後方向といい、特に−Ｘ方向を左方、＋Ｘ方向を右方、−Ｙ方向を後方、＋Ｙ方向を前方という。
【００３０】
まず、図１に示すように、本実施形態に係る画像形成装置１０は、幅寸法が前後寸法より長尺で、高さ寸法が略１ｍ前後の直方体状を呈した装置本体１１を有し、この装置本体１１内に画像形成用の各種の機器が装着されている。かかる装置本体１１には、その上面の後方部分に幅寸法より若干短めで幅方向に長尺の原稿給紙トレイ１２が設けられているとともに、この原稿給紙トレイ１２の直下位置に転写処理済の用紙を排紙するための、開口が前方に向いた幅方向に長尺の排紙口１３が設けられている。長尺の排紙口１３の直上流側には、排紙ローラ対１３１（図２）が設けられ、定着装置７０から導出された引出し紙Ｒ０は、この排紙ローラ対１３１の駆動によって確実に排紙されるようになっている。
【００３１】
また、前記装置本体１１における排紙口１３の下方位置前面には、観音開きで開閉される用紙受け部１４が設けられている。この用紙受け部１４は、装置本体１１の前面を覆う幅方向一対の前面板１４１と、各前面板１４１に一体に設けられ、かつ、装置本体１１の前面の幅方向各縁部に対応した上下方向に長尺の側板１４２とからなり、各前面板１４１を閉止することによって装置本体１１と前面板１４１との間に排紙された引出し紙Ｒ０（図２）を収納する排紙ボックス１４０が形成されるようになっている。
【００３２】
前記前面板１４１は、上縁部が前方に向って湾曲され、これによる排紙ボックス１４０の上面開口の拡大で上方から排紙される引出し紙Ｒ０を受け入れ易くしている。かかる用紙受け部１４が開放されることによって装置本体１１内に装填されている後述のロール紙Ｒ（図２）の交換を行い得るようになっている。
【００３３】
また、前記排紙口１３と用紙受け部１４との間には観音開きの開閉扉１５が設けられている。そして、この開閉扉１５を開放することによって各種の機器の搭載されたユニットを引出し得るようになっている。かかる開閉扉１５を開放して前記ユニットを装置本体１１から前方へ向けて引き出すことにより、ユニットに搭載された各種の機器のメンテナンス作業を容易に行うことができる。
【００３４】
また、前記原稿給紙トレイ１２の後方位置には、給紙された原稿Ｐを覆うカバー体１６が設けられ、このカバー体１６内に後述する原稿読取り部１７が設けられている。そして、原稿給紙トレイ１２から原稿読取り部１７へ給紙された原稿Ｐは、装置本体１１の後方上面をスライドして排紙されるようになっている。
【００３５】
以下、このような画像形成装置１０の内部構造の概要について図２を基に説明する。図２は、第１実施形態の画像形成装置１０の内部構造の概略を説明するための断面視の説明図であり、ストック部３０に貯留された表面転写済ロール紙Ｒ２を二点鎖線で示している。この図に示すように、画像形成装置１０は、装置本体１１の上面位置に形成された原稿読取り部１７と、装置本体１１内における原稿読取り部１７の直下に設けられた画像形成部１８と、この装置本体１１内の下方位置に形成されたロール紙貯留部１９と、このロール紙貯留部１９と前記画像形成部１８との間に形成された表裏反転部２０とを備えた基本構成を有している。
【００３６】
前記原稿読取り部１７は、カバー体１６内と装置本体１１内とに亘って上下で対向配置された前後方向一対の給紙ローラ対１７１と、これら一対の給紙ローラ対１７１間に設けられた原稿押えローラ１７２と、装置本体１１の上面に付設されたコンタクトガラス１７３と、前記コンタクトガラス１７３の直下位置に設けられた光学系ユニット１７４とを備えて構成されている。
【００３７】
前記原稿押えローラ１７２は、給紙ローラ対１７１によって搬送されつつある原稿Ｐをコンタクトガラス１７３へ向けて押圧するためのものである
前記光学系ユニット１７４は、図略の発光部と受光部とを有しており、発光部の光源からコンタクトガラス１７３を介して原稿Ｐの原稿面に向けて光を照射するとともに、原稿面からの反射光を受光部に設けられたＣＣＤ（ｃｈａｒｇｅ  ｃｏｕｐｌｅｄ  ｄｅｖｉｃｅ）で受光するようになっている。そして、ＣＣＤによって受光された原稿Ｐのアナログの画像情報は、ディジタルに変換されたのち記憶装置１７５に記憶され、必要に応じて画像形成部１８へ向けて出力されるようになっている。
【００３８】
前記画像形成部１８は、図２において反時計方向へ向けて回転する幅方向（図２の紙面に直交する方向）に長尺の感光体ドラム１８１と、この感光体ドラム１８１周りに回転方向の上流側から順次配されたクリーニング装置１８２、帯電ユニット１８３、露光ユニット１８４および現像装置１８５と、クリーニング装置１８２の前方位置に設けられた定着装置７０とを備えている。
【００３９】
前記クリーニング装置１８２は、感光体ドラム１８１の周面に残留している残留トナーを取り除いて当該周面を清浄化し、感光体ドラム１８１をつぎの転写処理に備えさせるためのものである。前記帯電ユニット１８３は、クリーニング装置１８２によって清浄化された感光体ドラム１８１の周面に対して電荷を供給し、これによって同周面に一様な電荷を付与するものである。
【００４０】
前記露光ユニット１８４は、記憶装置１７５が記憶している画像情報に基づき一様に帯電している感光体ドラム１８１の周面に向けてレーザー光を照射するものである。かかるレーザー光の照射によって、感光体ドラム１８１の周面に静電潜像が形成されることになる。
【００４１】
前記現像装置１８５は、静電潜像の形成された感光体ドラム１８１の周面に向けてトナーを供給するものである。かかるトナーの供給によって感光体ドラム１８１の周面にトナー像が形成される。このトナー像は、感光体ドラム１８１の反時計方向への回転によって、ロール紙貯留部１９のロール紙Ｒから引き出された引出し紙Ｒ０へ転写される。
【００４２】
前記定着装置７０は、感光体ドラム１８１による転写処理が施された引出し紙Ｒ０のトナー像に対して定着処理を施すものであり、加熱ローラ７１と、この加熱ローラ７１の下部で当該加熱ローラ７１と対向配置された加圧ローラ７２とを備えている。そして、引出し紙Ｒ０は、これらローラ７１，７２間を押圧挟持されつつ通過する間に加熱ローラ７１によって加熱され、これによるトナーの溶融でトナー像が引出し紙Ｒ０の紙面に定着されるようになっている。そして、定着装置７０で定着処理の施された引出し紙Ｒ０は、装置本体１１の前面側に設けられた排紙口１３を介して外部へ排紙され、排紙ボックス１４０（図１）に受けられるようになっている。
【００４３】
かかる加熱ローラ７１および加圧ローラ７２は、ロール紙Ｒから引出し紙Ｒ０を引き出すための駆動源の一つとして機能するものであり、両者で引出し紙Ｒ０を押圧挟持しながら回転することによって、引出し紙Ｒ０をロール紙Ｒから引き出すようになされている。
【００４４】
前記ロール紙貯留部１９は、転写処理対象のロール紙Ｒを貯留する部分であり、装置本体１１内における表裏反転部２０の下部に設けられている。かかるロール紙貯留部１９には、ロール紙Ｒが装着されるロール紙貯留ユニット１９０が内装されている。本実施形態においては、ロール紙貯留部１９は上下２段に分けられ、上段位置１９１および下段位置１９２にそれぞれ１台ずつのロール紙貯留ユニット１９０が挿脱自在に装着されている。
【００４５】
かかる各ロール紙貯留ユニット１９０に装着されたロール紙Ｒは、２台の内の選択された方のものが引き出され、前後のロール紙貯留ユニット１９０の当接位置から上方に向かって延びる主搬送路１９３を通って感光体ドラム１８１の下部周面に供給され、ここで感光体ドラム１８１の周面に形成されたトナー像の引出し紙Ｒ０に対する転写処理が実行されるようになっている。
【００４６】
前記主搬送路１９３には、所定組の搬送ローラ対１９４が設けられ、ロール紙Ｒから引き出された引出し紙Ｒ０は、これらの搬送ローラ対１９４の駆動回転によって感光体ドラム１８１へ向けて送り込まれるようになっている。そして、かかる主搬送路１９３の適所には、予め設定された所定の長さで引出し紙Ｒ０をカットするためのカッター１９５が設けられている。
【００４７】
そして、所定の引き出し長に達した引出し紙Ｒ０は、カッター１９５によって幅方向の全長に亘ってカットされ、以後カット紙Ｒ１となって感光体ドラム１８１による転写処理および定着装置７０による定着処理が施された後、排紙口１３から排紙ボックス１４０へ排紙されることになる。
【００４８】
前記表裏反転部２０は、引出し紙Ｒ０に両面コピーを施す場合に定着装置７０から導出されたカット紙Ｒ１に表裏反転処理を施すためのものである。かかる表裏反転部２０は、定着処理後のカット紙（表面転写済引出し紙）Ｒ１を表面転写済ロール紙Ｒ２としてストックするストック部３０と、前記カット紙Ｒ１を排紙口１３を介して外部へ排紙する系外排紙処理と前記ストック部３０へ一時的に排紙する系内排紙処理との間で切り換える第１排紙先切換え手段（排紙処理切換え手段）４０と、前記ストック部３０にストックされているカット紙Ｒ１を引出して反転させる反転機構５０と、この反転機構５０によって反転された表面転写済のカット紙Ｒ１を画像形成部へ返送して裏面側の画像転写に供する返送搬送路６０とを備えて基本されている。
【００４９】
前記ストック部３０は、本実施形態においては、装置本体１１内の定着装置７０の下部後方位置に設けられている。かかるストック部３０は、定着装置７０の下方位置で後方に向って先下がりに傾斜したストック板３１と、このストック板３１の後端縁部上に延設されたコイル状ストックユニット３２とを備えて構成されている。
【００５０】
前記コイル状ストックユニット３２は、金属板あるいは合成樹脂版を渦巻き状に形成したものである。かかるコイル状ストックユニット３２がストック板３１の先端に連接されることにより、ストック板３１を介してコイル状ストックユニット３２へ導入されたカット紙Ｒ１は、図２に二点鎖線で示すように、自身の巻き癖により容易に渦巻き状でコイル状ストックユニット３２内に入り込んでいって貯留される。
【００５１】
また、ストック板３１の上流側には、反転機構５０を挟んだ状態で誘導板３３が設けられている。この誘導板３３は、定着装置７０から導出されたカット紙Ｒ１を反転機構５０を介してストック部３０へ誘導するためのものであり、後述する第１ガイド板４１の直下から反転機構５０へ向けて先下がりに傾斜している。
【００５２】
図３は、前記第１排紙先切換え手段４０が設けられる定着装置７０の一実施形態を示す斜視図であり、図４は、第１排紙先切換え手段４０の一実施形態を示す斜視図である。また、図５は、第１排紙先切換え手段４０の作用を説明するための説明図であり、（イ）は、第１ガイド板４１が系外排紙姿勢に姿勢設定された状態、（ロ）は、第１ガイド板４１が系内排紙姿勢に姿勢設定された状態をそれぞれ示している。なお、図３〜図５におけるＸおよびＹによる方向表示は、図１の場合と同様である。
【００５３】
まず、図３に示すように、定着装置７０は、装置本体１１内の適所に配設された幅方向一対のフレーム７３間に加熱ローラ７１および加圧ローラ７２が上下に並設状態で架設されることによって形成されている。前記加熱ローラ７１および加圧ローラ７２は、一方（図３では左方）のフレーム７３に形成されたギヤ群７４を介して同期しながら互いに逆方向に回転し、これによってカット紙Ｒ１を前方へ向けて送り出すようになっている。
【００５４】
前記各フレーム７３における前縁部の対向面には、それぞれ上下方向に長尺の排紙ローラ支持板７５がねじ止め等で固定されている。各排紙ローラ支持板７５は、図４に示すように、上下方向に延びる長尺矩形状の支持板本体７５１と、この支持板本体７５１の上下方向の中央位置から後方に向って突設されたブラケット７５２とからなっている。
【００５５】
そして、一対の支持板本体７５１間にブラケット７５２と対応するように上下一対のローラ軸１３２が架設されているとともに、これら一対のローラ軸１３２に例えばゴム製のローラが周面を互いに接触させた状態でそれぞれ一体的に外嵌されて排紙ローラ対１３１が形成されている。かかる排紙ローラ対１３１も、前記ギヤ群７４を介して加熱ローラ７１および加圧ローラ７２と同期回転し、これによって第１排紙先切換え手段４０が系外排紙処理に設定された状態で、加熱ローラ７１および加圧ローラ７２間から導出されたカット紙Ｒ１を挟持しながら排紙するようになっている。
【００５６】
前記第１排紙先切換え手段４０は、一対のブラケット７５２間に架設される姿勢変更可能な第１ガイド板４１と、この第１ガイド板４１に姿勢変更を行わせる第１アクチュエータ４２と、この第１アクチュエータ４２および前記第１ガイド板４１を連結するリンクアーム４３とを備えて構成されている。
【００５７】
前記第１ガイド板４１には、幅方向の各縁部における前後方向の略中央位置から互いに反対方向に突設された軸突起４１１が設けられている一方、ブラケット７５２の後端側には、前記軸突起４１１が内嵌される軸支孔７５３が穿設され、軸突起４１１を軸支孔７５３に嵌入することによって第１ガイド板４１が軸支孔７５３の孔心回りに回動し得るようになっている。また、前記第１ガイド板４１には、軸突起４１１より前方位置から下方に向けて突出した、前記リンクアーム４３の上端部が連結される連結片４１２が設けられている。
【００５８】
前記第１アクチュエータ４２は、本実施形態においては、ソレノイド方式のものが採用され、内部にソレノイドが内装されたアクチュエータ本体４２１と、このアクチュエータ本体４２１から上方に向かって突設された鉄心４２２とからなっている。鉄心４２２は、アクチュエータ本体４２１内のソレノイドに貫通され、当該ソレノイドの励磁および励磁解消で昇降するようになっている。
【００５９】
前記リンクアーム４３は、その下端部が第１軸４３１を介して当該第１軸４３１回りに回動自在に鉄心４２２の上端部に連結されているとともに、その上端部が第２軸４３２を介して当該第２軸４３２回りに回動自在に前記第１ガイド板４１の連結片４１２に連結されている。
【００６０】
そして、鉄心４２２がアクチュエータ本体４２１から上方に突出した状態では、第１ガイド板４１がリンクアーム４３を介して上方に押し上げられることにより軸突起４１１回りに反時計方向に回動し、これによって図５の（イ）に示す略水平な系外排紙姿勢に姿勢設定される一方、鉄心４２２がアクチュエータ本体４２１内に後退した状態では、第１ガイド板４１がリンクアーム４３を介して下方へ引き下げられることにより軸突起４１１回りに時計方向へ回動し、これによって図５の（ロ）に示す前方に向かって先下がりに傾斜した系内排紙姿勢に姿勢設定されるようになっている。
【００６１】
かかる第１排紙先切換え手段４０の構成によれば、加熱ローラ７１が、図５の（イ）に示すように、系外排紙姿勢に姿勢設定された状態で、加熱ローラ７１および加圧ローラ７２によって定着処理の施されたカット紙Ｒ１の先端が第１ガイド板４１に到達すると、第１ガイド板４１の上面にガイドされることによって当該上面をスライドし、排紙ローラ対１３１を介して外部に導出されることになる。
【００６２】
ついで、図５の（ロ）に示すように、前記第１ガイド板４１が系内排紙姿勢に姿勢設定された状態では、第１ガイド板４１の後端縁が加熱ローラ７１と加圧ローラ７２との当接点より上方に位置した状態になっているため、加熱ローラ７１によって定着処理の施されたカット紙Ｒ１は、第１ガイド板４１の下面に捕捉された後、当該第１ガイド板４１の下面に誘導されて排紙方向が下方に向かうようになり（カット紙Ｒ１は、巻き癖が付いているため、その先端は下方に向かう）、これによってストック部３０に排紙されることになる。
【００６３】
以下、図６〜図８を基に反転機構５０について説明する。図６および図７は、前記反転機構５０を概念的に示した斜視図であり、図６は、第２ガイド板５１が後下がり姿勢に姿勢設定された状態、図７は、第２ガイド板５１が前下がり姿勢に姿勢設定された状態をそれぞれ示している。また、図８は、反転機構５０の作用を説明するための説明図であり、（イ）は、第２ガイド板５１が対ストック部ガイド姿勢に姿勢設定された状態、（ロ）は、第２ガイド板５１が対画像形成部ガイド姿勢に姿勢設定された状態をそれぞれ示している。なお、図６〜図８におけるＸおよびＹによる方向表示は図１の場合と同様である。
【００６４】
まず、図６に示すように、反転機構５０は、画像形成部１８（図１）の下部に設けられた幅方向一対のフレーム５９（図６では左方のフレームのみを示している）間に配設される第２ガイド板５１と、この第２ガイド板５１の後端部に対向して設けられた反転ローラ対５５と、前記第２ガイド板５１の姿勢変更を行う第２アクチュエータ５７とを備えて構成されている。
【００６５】
前記第２ガイド板５１は、幅寸法が一対のフレーム５９間の距離より若干短めの底板５２と、この底板５２の上部に対向配置された当該底板５２と同一平面寸法の天板５３と、これら底板５２および天板５３の幅方向の両縁部間に架設された幅方向一対の側板５４とを備えて幅方向に長尺に形成されている。かかる第２ガイド板５１の前端側には、カット紙Ｒ１を導入するための入口開口５１１が形成されているとともに、後端側には、カット紙Ｒ１を反転ローラ対５５へ向わせるための出口開口５１２が形成されている。
【００６６】
第２ガイド板５１がこのように底板５２と天板５３とで二重構造とされているのは、当該第２ガイド板５１に導入されるカット紙Ｒ１には、その先端部が上方に向けて湾曲したいわゆる巻き癖が付いているため、その巻き癖を矯正する天板５３が存在しない状態で反転ローラ対５５へ供給された場合、カット紙Ｒ１の先端を反転ローラ対５５間に向わせることが困難になるためである。
【００６７】
また、底板５２の後部には、下方に向かって湾曲した湾曲部５２１が形成されている。そして、底板５２の裏面側にガイドされつつストック部３０から逆送されてきたカット紙Ｒ１は、その先端が湾曲部５２１に誘導されることによって効果的に下方に向かわせられるようになっている。
【００６８】
また、一対の側板５４には、前後方向の略中央位置から互いに反対方向へ向けて突設された軸突起５３１がそれぞれ設けられている一方、左右のフレーム５９には前記軸突起５３１に対応した軸支孔５９１がそれぞれ穿設されている。
【００６９】
前記第２ガイド板５１は、軸突起５３１が軸支孔５９１に嵌入されることで軸支孔５９１の孔心回りに正逆回動可能になり、これによって出口開口５１２が反転ローラ対５５に向くように後下がりに傾斜した後下がり傾斜姿勢（対ストック部ガイド姿勢）と、入口開口５１１が斜め後方に向くように前下がりに傾斜した前下がり傾斜姿勢（対画像形成部ガイド姿勢）との間で姿勢変更可能になっている。
【００７０】
そして、第２ガイド板５１が後下がり傾斜姿勢に姿勢設定されることにより、定着装置７０から送り込まれたカット紙Ｒ１は、第２ガイド板５１、反転ローラ対５５およびストック板３１を介してコイル状ストックユニット３２へ導入される一方、第２ガイド板５１が前下がり傾斜姿勢に姿勢設定された状態で、コイル状ストックユニット３２に貯留されていたカット紙Ｒ１がストック板３１、反転ローラ対５５および第２ガイド板５１を介して逆送され、表裏反転状態で画像形成部１８へ戻されるようになっている。
【００７１】
また、一対の第２ガイド板５１の一方側（図６に示す例では左方側）には、前記軸突起５３１の若干前方位置から下方に向けて突設された連結片５３２が設けられている。この連結片５３２は、第２ガイド板５１を第２アクチュエータ５７に連結するためのものである。
【００７２】
前記第２アクチュエータ５７は、その正逆駆動によって第２ガイド板５１に姿勢変更を行わせるためのものである。かかる第２アクチュエータ５７は、前記連結片５３２と対応して左方のフレーム５９に固定されるアクチュエータ本体５７１と、このアクチュエータ本体５７１から上方へ向って突設された鉄心５７２と、この鉄心５７２の上端部に連結されたリンクアーム５７３とからなっている。鉄心５７２は、アクチュエータ本体５７１内のソレノイドに貫通され、当該ソレノイドの励磁および励磁解消で昇降するようになっている。
【００７３】
前記リンクアーム５７３は、その下端部が第３軸５７４を介して当該第３軸５７４回りに回動自在に鉄心５７２の上端部に連結されているとともに、その上端部が第４軸５７５を介して当該第４軸５７５回りに回動自在に前記連結片５３２に連結されている。
【００７４】
そして、鉄心５７２がアクチュエータ本体５７１から上方に突出した状態では、第２ガイド板５１がリンクアーム５７３を介して上方に押し上げられることにより軸突起５３１回りに反時計方向に回動し、これによって、図８の（イ）に示すように、後方に向って先下がりの後下がり傾斜姿勢に姿勢設定される一方、鉄心５７２がアクチュエータ本体５７１内に後退した状態では、第２ガイド板５１がリンクアーム５７３を介して下方へ引き下げられることにより軸突起５３１回りに時計方向へ回動し、これによって図８の（ロ）に示す容易、前方に向かって先下がりに傾斜した前下がり傾斜姿勢に姿勢設定されるようになっている。
【００７５】
前記反転ローラ対５５は、挟持したカット紙Ｒ１を正逆搬送するためのものであり、一対のフレーム５９間に互いに平行に架設された上下一対のローラ軸５６に同心で一体回転可能に外嵌されている。かかる反転ローラ対５５は、図略の駆動モータの正逆駆動でローラ軸５６を介して同期しながら互いに逆方向に駆動回転するようになっており、反転ローラ対５５の上部のものが時計方向へ回転するとともに、下部のものが反時計方向へ回転することにより、両者に挟持されたカット紙Ｒ１がストック板３１を介してコイル状ストックユニット３２へ向けて搬送される一方、反転ローラ対５５の上部のものが反時計方向へ回転するとともに、下部のものが反時計方向へ回転することにより、両者に挟持されたカット紙Ｒ１がコイル状ストックユニット３２から引き出されるようになっている。
【００７６】
また、前記誘導板３３の下方位置には、第２ガイド板５１の湾曲部５２１の軸突起５３１回りの回動軌跡に沿うように当該回動軌跡の外側に形成された幅方向に長尺の軌跡板５８が一対のフレーム５９間に架設されている。かかる軌跡板５８の存在により、第２ガイド板５１が前下がり傾斜姿勢に姿勢設定された状態で、第２ガイド板５１の底板５２の裏面にガイドされつつ逆送されるカット紙Ｒ１は、軌跡板５８を介して円滑に返送搬送路６０へ向けて導出されることになる。
【００７７】
前記返送搬送路６０は、図２に示すように、表裏反転部２０と、この表裏反転部２０の下部のロール紙貯留部１９とを仕切る仕切り板６１の上面によって形成されている。この仕切り板６１は、主搬送路１９３より前方であってストック板３１および軌跡板５８の直下において一対のフレーム５９（図６）間に水平に架設されている。かかる仕切り板６１におけるストック板３１より後方側には、当該仕切り板６１に形成された開口６１１が設けられているとともに、この開口６１１を挟むように返送ローラ対６３が配設されている。そして、仕切り板６１上に排紙されたカット紙Ｒ１は、返送ローラ対６３の駆動で仕切り板６１上を後方に向けて返送されるようになっている。
【００７８】
かかる仕切り板６１は、その後部が感光体ドラム１８１の直下の搬送ローラ対１９４へ向けて先上りに傾斜することによって形成した傾斜部６２を有しており、仕切り板６１上を搬送されるカット紙Ｒ１は、この傾斜部６２に案内されることによって確実に感光体ドラム１８１へ供給され得るようになっている。
【００７９】
また、仕切り板６１の前端部位置には、装置本体１１の前面壁が開口されることによって形成した手差し口１１０が設けられている。そして、転写用紙を手差しで給紙するに際しては、この手差し口１１０を介して転写用紙を感光体ドラム１８１へ直接供給し得るようになっている。このように、返送搬送路６０を手差し時の転写用紙の搬送路と共用していることにより、これらを別々に設ける場合に比較して装置本体１１のコンパクト化に貢献することができる。
【００８０】
以下、図８を基に反転機構５０の作用について説明する。まず、図８の（イ）に示すように、第２ガイド板５１が後下がり傾斜姿勢に姿勢設定された状態（すなわち、第２ガイド板５１の出口開口５１２が反転ローラ対５５に対向した状態）で、定着装置７０（図１）から誘導板３３および定着装置７０のケーシングの外壁に案内されつつ送り込まれたカット紙Ｒ１は、入口開口５１１から第２ガイド板５１内に導入され、当該カット紙Ｒ１のカール状の先端縁が第２ガイド板５１の天板５３の内面と摺接しながら前進し、これによってカット紙Ｒ１の先端縁部が反転ローラ対５５に到達する。
【００８１】
このとき反転ローラ対５５は、順回転（上方のものが時計方向に回転するとともに、下方のものが反時計方向に回転）しているため、反転ローラ対５５に挟持されたカット紙Ｒ１は、その順回転によってストック板３１を介してコイル状ストックユニット３２へ向けて搬送される。そして、コイル状ストックユニット３２へ搬送されたカット紙Ｒ１は、その巻き癖によって自然と渦巻き状の表面転写済ロール紙Ｒ２になる。そして、カット紙Ｒ１の他端部が反転ローラ対５５を通過する直前で当該反転ローラ対５５の駆動が停止され、これによって表面転写済ロール紙Ｒ２がコイル状ストックユニット３２に一時貯留された状態になる。
【００８２】
因みに、前記反転ローラ対５５の停止については、例えば、反射タイプの光センサを反転ローラ対５５の近傍に配設し、当該光センサにカット紙Ｒ１の他端部を検出させ、その検出信号に基づき反転ローラ対５５の駆動を停止させるような方式を採用すればよい。
【００８３】
ついで、第２アクチュエータ５７の駆動により後下がり傾斜姿勢に姿勢設定されていた第２ガイド板５１が、図８の（ロ）に示すように、前下がり傾斜姿勢に姿勢変更される。これによって第２ガイド板５１の底板５２の後縁部が反転ローラ対５５より上方に位置するとともに、同前縁の湾曲部５２１が軌跡板５８と対向した状態になる。この状態で反転ローラ対５５が逆回転（上方のものが反時計方向に回転するとともに、下方のものが時計方向に回転）されることにより、コイル状ストックユニット３２に貯留されていた表面転写済ロール紙Ｒ２は、底板５２の裏面に案内されつつ表裏が反転された状態で軌跡板５８を介し仕切り板６１上に排紙されることになる。
【００８４】
そして、仕切り板６１上に排紙された表裏反転のカット紙Ｒ１は、返送ローラ対６３の駆動によって仕切り板６１上を後方に向って返送され、傾斜部６２および最上位の搬送ローラ対１９４を介して感光体ドラム１８１へ供給され、裏面側に転写処理が施される。そして、表裏面に転写処理の施されたカット紙Ｒ１は、定着装置７０において再度定着処理が施された後、系外排紙姿勢に姿勢設定された第１ガイド板４１および排紙口１３を通って装置本体１１の外部へ排紙されることになる。
【００８５】
図９は、第２実施形態の画像形成装置１０′の内部構造の概略を説明するための断面視の説明図であり、ストック部３０′に表面転写済ロール紙Ｒ２が形成されつつある状態を示している。また、図１０は、反転機構５０′の作用を説明するための説明図であり、（イ）は、第１ガイド板４１が系外排紙姿勢に、第３ガイド板８１が閉止姿勢に姿勢設定された状態、（ロ）は、第３ガイド板８１が閉止姿勢を維持したまま第１ガイド板４１が系内排紙姿勢に姿勢変更された状態、（ハ）は、第１ガイド板４１が系外排紙姿勢に、第３ガイド板８１が開放姿勢に姿勢設定された状態をそれぞれ示している。なお、図９および図１０において、Ｙによる方向表示は、図１の場合と同様である。
【００８６】
第２実施形態の画像形成装置１０′は、図９に示すように、ストック部３０′が装置本体１１の外側に形成されている点（すなわちコイル状ストックユニット３２が装置本体１１の外部に設けられている点）と、第２排紙先切換え手段（排紙処理切換え手段）８０が設けられている点とが第１実施形態の画像形成装置１０と相違している。
【００８７】
前記ストック部３０′は、第１実施形態のものと同様のコイル状ストックユニット３２と、装置本体１１外における手差し口１１０と排紙口１３との間に設けられた、コイル状ストックユニット３２を支持する支持棚３４とを備えて構成されている。コイル状ストックユニット３２は、入口側が排紙口１３の外方で排紙ローラ対１３１と対向するように支持棚３４に支持されている。
【００８８】
前記支持棚３４は、装置本体１１の前面壁に固定された水平板３４１と、この水平板３４１の前縁部から上方に向かって延設された垂直板３４２とからなっている。これら水平板３４１および垂直板３４２は、コイル状ストックユニット３２を確実に支持し得るように寸法設定されている。
【００８９】
前記第２排紙先切換え手段８０は、図１０に示すように、装置本体１１の前面壁における排紙口１３より若干上方位置に付設された第３ガイド板８１と、この第３ガイド板８１に姿勢変更を行わせる第３アクチュエータ８２と、この第３アクチュエータ８２および前記第３ガイド板８１を連結するリンクアーム８３とを備えて構成されている。
【００９０】
前記第３ガイド板８１には、後端部から互いに反対方向に突設された軸突起８１１が設けられている一方、装置本体１１には、排紙口１３の直上の前方壁に前記軸突起８１１が回動自在に支持されるブラケット１１１が突設され、軸突起８１１がブラケット１１１に支持されることによって第３ガイド板８１は、軸突起８１１の軸心回りに正逆回動して引出し紙Ｒ０を外部に排紙する系外排紙姿勢と、引出し紙Ｒ０をストック部３０′へ導く導入姿勢との間で姿勢変更し得るようになっている。また、前記第３ガイド板８１には、軸突起８１１より前方位置から下方に向けて突出した、前記リンクアーム８３の上端部が連結される連結片８１２が設けられている。
【００９１】
そして、第３ガイド板８１は、系外排紙姿勢に姿勢設定された状態で先端がコイル状ストックユニット３２の入口から上方へ離間する一方、導入姿勢に姿勢設定された状態でコイル状ストックユニット３２の入口に対向するようになっている。
【００９２】
前記第３アクチュエータ８２は、本実施形態においては、ソレノイド方式のものが採用され、内部にソレノイドが内装されたアクチュエータ本体８２１と、このアクチュエータ本体８２１から上方に向かって突設された鉄心８２２とからなっている。鉄心８２２は、アクチュエータ本体８２１内のソレノイドに貫通され、当該ソレノイドの励磁および励磁解消で昇降するようになっている。
【００９３】
前記リンクアーム８３は、その上端部が第５軸８３１を介して当該第５軸８３１回りに回動自在に鉄心８２２の下端部に連結されているとともに、その下端部が第６軸８３２を介して当該第６軸８３２回りに回動自在に前記第３ガイド板８１の連結片８１２に連結されている。
【００９４】
前記鉄心８２２がアクチュエータ本体８２１から下方に突出した状態では、第３ガイド板８１がリンクアーム８３を介して下方に押し上げられることにより軸突起８１１回りに時計方向に回動し、これによって図１０の（イ）に示す略水平な系外排紙姿勢に姿勢設定される一方、鉄心８２２がアクチュエータ本体８２１内に後退した状態では、第３ガイド板８１がリンクアーム８３を介して上方へ引き上げられることにより軸突起８１１回りに反時計方向へ回動し、これによって図１０の（ロ）に示す前方に向かって先下がりに傾斜した導入姿勢に姿勢設定されるようになっている。
【００９５】
そして、第２実施形態においては、反転機構５０′は、第１実施形態で採用されたものと同様の第１排紙先切換え手段４０および同排紙ローラ対１３１から構成されている。但し、第１排紙先切換え手段４０は、第１ガイド板４１が系内排紙姿勢に姿勢設定された状態で、図１０の（ロ）に示すように、当該第１ガイド板４１の後端部が後下がりに傾斜する点が先の実施形態と相違している（因みに、第１実施形態においては、第１ガイド板４１が系内排紙姿勢に姿勢設定された状態で、図５の（ロ）に示すように、当該第１ガイド板４１の前端部が前下がりに傾斜する）。
【００９６】
第２実施形態の画像形成装置１０′によれば、第１ガイド板４１が略水平になる系外排紙姿勢（対ストック部ガイド姿勢）に姿勢設定された状態で排紙ローラ対１３１から導出されたカット紙Ｒ１は、第３ガイド板８１にガイドされてコイル状ストックユニット３２へ向い、その巻き癖に援助されて渦巻き状になりながら当該コイル状ストックユニット３２へ収納されることになる。そして、カット紙Ｒ１の下流側の端部が排紙ローラ対１３１を通過する直前で当該排紙ローラ対１３１の駆動が停止され、これによって表面転写済ロール紙Ｒ２がコイル状ストックユニット３２に一時貯留された状態になる。
【００９７】
この状態で、第３アクチュエータ８２の駆動により系外排紙姿勢に姿勢設定されていた第１ガイド板４１が、図１０の（ロ）に示すように、前下がりに傾斜した系内排紙姿勢に姿勢変更される。これによって第１ガイド板４１の前端縁部が排紙ローラ対１３１より上方に位置した状態になる。この状態で排紙ローラ対１３１が逆回転（上方のものが時計方向に回転するとともに、下方のものが反時計方向に回転）されることにより、コイル状ストックユニット３２に貯留されていた表面転写済ロール紙Ｒ２は、第１ガイド板４１の裏面に案内されつつ表裏が反転された状態で軌跡板５８を介し仕切り板６１（図９）上に排紙されることになる。
【００９８】
そして、仕切り板６１上に排紙された表裏反転のカット紙Ｒ１は、返送ローラ対６３の駆動によって仕切り板６１上を後方に向って返送され、傾斜部６２および最上位の搬送ローラ対１９４を介して感光体ドラム１８１へ供給され、裏面側に転写処理が施される。そして、表裏面に転写処理の施されたカット紙Ｒ１は、定着装置７０において再度定着処理が施された後、系外排紙姿勢に姿勢変更された第１ガイド板４１、排紙口１３および系外排紙姿勢に姿勢変更された第３ガイド板８１とコイル状ストックユニット３２の入口上縁部との間を通って装置本体１１の外部へと排紙されることになる。
【００９９】
以上詳述したように、本発明に係る画像形成装置１０，１０′は、装置本体１１に内装されたロール紙貯留部１９から給紙される転写用の幅広のロール紙Ｒから引出された引出し紙Ｒ０に対してまず表面側に画像形成部１８で所定の画像形成処理を施した後、裏面側に同様の転写処理を施す、いわゆる両面コピー用のものである。
【０１００】
そして、かかる画像形成装置１０，１０′は、定着処理後の表面転写済引出し紙Ｒ０を表面転写済ロール紙Ｒ２としてストックする前記装置本体１１の所定の位置に設けられたストック部３０，３０′と、定着処理後の引出し紙Ｒ０を装置本体１１外へ排紙する系外排紙処理とストック部３０，３０′へ一時的に排紙する系内排紙処理との間で切り換える排紙処理切換え手段と、ストック部３０，３０′にストックされている表面転写済ロール紙Ｒ２を引出して反転させる反転機構５０，５０′と、反転機構５０，５０′によって反転された表面転写済ロール紙Ｒ２を画像形成部１８へ返送して裏面側の画像転写に供する返送搬送路６０とを備えている。
【０１０１】
したがって、ロール紙貯留部１９に貯留されているロール紙Ｒから引き出された引出し紙Ｒ０は、画像形成部１８で表面側に画像が転写された後に定着処理が施されて表面転写済引出し紙Ｒ０になる。この表面転写処理済引出し紙Ｒ０は、排紙処理切換え手段が系内排紙処理に設定された状態で、装置本体１１の所定の位置に形成されたストック部３０，３０′に一時的にストックされて表面転写済ロール紙Ｒ２になる。この表面転写済ロール紙は、反転機構５０，５０′によってストック部３０，３０′から引き出されて表裏が反転され、返送搬送路６０を通って画像形成部１８へ返送される。そして、画像形成部１８へ返送された引出し紙Ｒ０は、その裏面側に転写処理が施され、今度は通常通紙に設定された排紙処理切換え手段を介して装置本体１１外に排紙される。
【０１０２】
そして、表面転写処理済引出し紙Ｒ０は、ストック部３０，３０′に一時的にストックされた状態で表面転写済ロール紙Ｒ２になって渦巻き状で一時収納されるため、従来のようにロール紙から引き出された引出し紙Ｒ０が一旦カットされてカット紙Ｒ１とされ、このカット紙Ｒ１にそのまま反転処理が施される場合に比較し、反転のために用いられる空間を小さくすることができ、これによって、装置本体１１の大型化を抑えることができ、画像形成装置のコンパクト化を図る上で好都合である。
【０１０３】
また、複数ページに亘って両面コピーが行われるときであっても予め設定された所定長のロール紙Ｒの全長に亘って一気に両面コピーを施すことができるため、各カット紙Ｒ１の１枚ずつを一時貯留空間に送り込んでから一々スイッチバックさせて裏面側に転写処理を施さなければならない従来の方式に比較し、両面コピーの処理効率を大幅に向上させることができる。
【０１０４】
また、排紙先切換え手段４０，４０′は、定着処理後の引出し紙Ｒ０を装置本体１１外に向けてガイドする系外排紙姿勢と、ストック部３０，３０′に向けてガイドする系内排紙姿勢との間で姿勢変更可能な第１ガイド板４１を備えているため、定着処理が施された後の引出し紙Ｒ０は、第１ガイド板４１が系外排紙姿勢に姿勢設定された状態では、当該第１ガイド板４１のガイドにより装置本体１１の外部に排紙される一方、第１ガイド板４１が系内排紙姿勢に姿勢設定された状態では、当該第１ガイド板４１のガイドによりストック部３０，３０′に向けて排紙され、第１排紙先切換え手段４０，４０′の構造を簡単なものにした上で、状況に応じて引出し紙の行き先を確実に仕分けることができる。
【０１０５】
また、反転機構５０，５０′は、ストック部３０，３０′の出入口に対向配置された反転ローラ対５５または排紙ローラ対１３１と、この反転ローラ対５５または排紙ローラ対１３１のストック部３０，３０′と反対側に設けられた第２または第３ガイド板５１，８１とを有し、反転ローラ対５５または排紙ローラ対１３１は、定着処理後の引出し紙Ｒ０をストック部３０，３０′へ向けて搬送する正駆動と、ストックされた引出し紙Ｒ０をストック部３０，３０′から引き出す逆駆動との間で切り換え可能に構成され、第２または第３ガイド板５１，８１は、反転ローラ対５５または排紙ローラ対１３１が正駆動している状態で定着処理後の引出し紙Ｒ０をストック部３０，３０′に向けてガイドする対ストック部ガイド姿勢と、反転ローラ対５５または排紙ローラ対１３１が逆駆動することによってストック部３０，３０′から引き出された引出し紙Ｒ０を画像形成部１８へ向わせる対画像形成部１８ガイド姿勢との間で姿勢変更可能に構成されている。
【０１０６】
かかる構成を採用したことにより、両面コピーを行うに際し、表面側に転写処理が施された後に定着処理が施された引出し紙Ｒ０は、対ストック部姿勢に姿勢設定された第２または第３ガイド板５１，８１にガイドされることにより反転ローラ対５５または排紙ローラ対１３１に捕捉され、当該反転ローラ対５５または排紙ローラ対１３１の正駆動によってストック部３０，３０′へ一旦送り込まれる。ついで、第２または第３ガイド板５１，８１が対画像形成部ガイド姿勢に姿勢設定された状態で反転ローラ対５５または排紙ローラ対１３１が逆駆動されることにより、ストック部３０，３０′に一時貯留されていた引出し紙Ｒ０は、第２または第３ガイド板５１，８１にガイドされて表裏が反転され、この表裏反転状態で画像形成部１８へ返送されて裏面側に画像転写処理が施された後、再度定着処理が施されて外部に排紙される。
【０１０７】
このように、反転ローラ対５５または排紙ローラ対１３１の正逆駆動と、第２または第３ガイド板５１，８１の姿勢変更との組み合わせによって、表面側に転写処理が施された後のカット紙Ｒ１の表裏反転処理と、反転されたカット紙Ｒ１の画像形成部１８への返送処理とを確実に行うことが可能になり、表裏反転構造を簡単なものにし得ることによって製造コストの低減化に貢献することができる。
【０１０８】
そして、本発明においては，ストック部３０，３０′は、板状体が渦巻き状に形成されてなるコイル状ストックユニット３２によって形成されているため、コイル状ストックユニット３２へ導入された引出し紙Ｒ０は、当該コイル状ストックユニット３２の渦巻状の隙間に誘導されて容易に渦巻き状になって嵌り込んでいくことが可能になる。そして、カット紙Ｒ１は、コイル状ストックユニット３２に渦巻状で貯留されることにより、引出し紙Ｒ０を伸長状態で貯留する場合に比較し、他の機器との干渉を有効に防止することができるとともに、占有空間を少なく抑えた状態で装置本体１１内に貯留することができ、これによって装置本体１１のコンパクト化に貢献することができる。
【０１０９】
また、第１実施形態のように、ストック部３０を装置本体１１に内装することによって、画像形成装置１０の外観視を簡素なものにすることができる。
【０１１０】
これに対し、第２実施形態のように、ストック部３０′を装置本体１１の外側に設けることによって、装置本体１１のさらなるコンパクト化を実現することができる。
【０１１１】
本発明は、上記の実施形態に限定されるものではなく、以下の内容をも包含するものである。
【０１１２】
（１）上記の実施形態においては、コイル状ストックユニット３２は全体的に渦巻き状に形成されているが、本発明は、コイル状ストックユニット３２が全体的に渦巻状であることに限定されるものではなく、１周分だけ渦巻き状にしてもよい。こうすることによって、コイル状ストックユニット３２に導入されたカット紙Ｒ１は、最初はコイル状ストックユニット３２の内壁面に案内されつつコイル状ストックユニット３２内を１周した後、自身に巻き癖が付いていることも手伝って、以後は、特に渦巻状の板に案内されなくても渦巻き状になっていくことができる。また、コイル状ストックユニット３２を１周分とすることでコイル状ストックユニット３２の材料コストおよび製造コストの低減化にも寄与することができる。
【０１１３】
（２）上記の実施形態においては、画像形成装置１０として複写機を例に挙げて説明したが、本発明は、画像形成装置１０が複写機であることに限定されるものではなく、ファクシミリ装置であってもよいし、コンピュータに接続されたプリンタであってもよい。
【０１１４】
（３）上記の実施形態においては、ロール紙貯留部１９にロール紙Ｒが２段で装填されるようになっているが、本発明は、ロール紙貯留部１９におけるロール紙Ｒの装填は２段であることに限定されるものではなく、１段であってもよいし、３段以上（３段、４段あるいは５段）であってもよい。また、各段に２つのロール紙Ｒを互いに対向した状態で装填し得るように構成してもよい。
【０１１５】
（４）上記の第１実施形態においては、第１排紙先切換え手段４０として第１ガイド板４１を採用し，この第１ガイド板４１の姿勢変更でコイル状ストックユニット３２からのカット紙Ｒ１の排紙方向を給紙方向と変更するようにしているが、かかる第１ガイド板４１に代えて反転ローラ対５５の姿勢変更でコイル状ストックユニット３２内のカット紙Ｒ１を返送搬送路６０へ向わせるようにしてもよい。
【０１１６】
（５）上記の実施形態においては、ストック部３０にコイル状ストックユニット３２を設け、このコイル状ストックユニット３２の渦巻状の隙間の中にカット紙Ｒ１の巻き癖を利用して当該カット紙Ｒ１を押し込んでいくようにしているが、こうする代わりにカット紙Ｒ１の先端部をクリップして強制的にコイル状ストックユニット３２の渦巻状の隙間の中に引き込んでいく機構を設けてもよい。こうすることによって、カット紙Ｒ１を確実にコイル状ストックユニット３２に収納することができる。
【０１１７】
また、ストック部３０としてコイル状ストックユニット３２に代えて巻き芯と、この巻き芯を軸心回りに回転させる駆動手段とを設けてもよい。そして、カット紙Ｒ１がストック部３０に到達した時点で当該カット紙Ｒ１の先端部を巻き芯に係止させた上で駆動手段の駆動でカット紙Ｒ１を自動的に巻き取るようにしてもよい。こうすることによって、ストック部３０を極めて小容量にすることが可能になり、画像形成装置１０のさらなるコンパクト化に貢献することができる。
【図面の簡単な説明】
【０１１８】
【図１】本発明に係る画像形成装置の一実施形態を示す外観斜視図である。
【図２】第１実施形態の画像形成装置の内部構造の概略を説明するための断面視の説明図であり、ストック部に貯留された表面転写済ロール紙を二点鎖線で示している。
【図３】第１排紙先切換え手段が設けられる定着装置の一実施形態を示す斜視図である。
【図４】第１排紙先切換え手段の一実施形態を示す斜視図である。
【図５】第１排紙先切換え手段の作用を説明するための説明図であり、（イ）は、第１ガイド板が系外排紙姿勢に姿勢設定された状態、（ロ）は、第１ガイド板が系内排紙姿勢に姿勢設定された状態をそれぞれ示している。
【図６】反転機構を概念的に示した斜視図であり、第２ガイド板が後下がり姿勢に姿勢設定された状態を示している。
【図７】反転機構を概念的に示した斜視図であり、第２ガイド板が前下がり姿勢に姿勢設定された状態を示している。
【図８】反転機構の作用を説明するための説明図であり、（イ）は、第２ガイド板が対ストック部ガイド姿勢に姿勢設定された状態、（ロ）は、第２ガイド板が対画像形成部ガイド姿勢に姿勢設定された状態をそれぞれ示している。
【図９】第２実施形態の画像形成装置の内部構造の概略を説明するための断面視の説明図であり、ストック部に表面転写済ロール紙が形成されつつある状態を示している。
【図１０】反転機構の作用を説明するための説明図であり、（イ）は、第１ガイド板が系外排紙姿勢に、第３ガイド板が閉止姿勢に姿勢設定された状態、（ロ）は、第３ガイド板が閉止姿勢を維持したまま第１ガイド板が系内排紙姿勢に姿勢変更された状態、（ハ）は、第１ガイド板が系外排紙姿勢に、第３ガイド板が開放姿勢に姿勢設定された状態をそれぞれ示している。
【符号の説明】
【０１１９】
１０，１０′  画像形成装置    １１装置本体
１１１  ブラケット            １２  原稿給紙トレイ
１３  排紙口                  １３１  排紙ローラ対
１３２  ローラ軸              １４  用紙受け部
１４０  排紙ボックス          １４１  前面板
１４２  側板                  １５  開閉扉
１６  カバー体                １７  原稿読取り部
１７１  給紙ローラ対          １７２  原稿押えローラ
１７３  コンタクトガラス      １７４  光学系ユニット
１７５  記憶装置              １８  画像形成部
１８１  感光体ドラム          １８２  クリーニング装置
１８３  帯電ユニット          １８４  露光ユニット
１８５  現像装置              １８６  定着装置
１８６ｂ  加圧ローラ          １９  ロール紙貯留部
１９０  ロール紙貯留部        １９１  上段位置
１９２  下段位置              １９３  搬送路
１９４  搬送ローラ対          １９５  カッター
２０  表裏反転部              ３０  ストック部
３１  ストック板              ３２  コイル状ストックユニット
３３  誘導板                  ３４  支持棚
３４１  水平板                ３４２  垂直板
４０，４０′  第１排紙先切換え手段
４１  第１ガイド板            ４１１  軸突起
４１２  連結片                ４２  第１アクチュエータ
４２１  アクチュエータ本体    ４２２  鉄心
４３  リンクアーム            ４３１  第１軸
４３２  第２軸                ５０，５０′  反転機構
５１  第２ガイド板            ５１１  入口開口
５１２  出口開口              ５２  底板
５２１  湾曲部                ５３  天板
５３１  軸突起                ５３２  連結片
５４  側板                    ５５  反転ローラ対
５６  ローラ軸                ５７  第２アクチュエータ
５７１  アクチュエータ本体    ５７２  鉄心
５７３  リンクアーム          ５７４  第３軸
５７５  第４軸                ５８  軌跡板
５９  フレーム                ５９１  軸支孔
６０  返送搬送路              ６１  仕切り板
６２  傾斜部                  ６３  返送ローラ対
７０  定着装置                ７１  加熱ローラ
７２  加圧ローラ              ７３  フレーム
７４  ギヤ群                  ７５  排紙ローラ支持板
８０  第２排紙先切換え手段    ８１  第３ガイド板
８１１  軸突起                ８１２  第３ガイド板８１２
８２  第３アクチュエータ      ８２１  アクチュエータ本体
８２２  鉄心                  ８３  リンクアーム
８３１  第５軸                ８３２  第６軸
Ｒ  ロール紙                  Ｒ０  引出し紙
Ｒ１  カット紙                Ｒ２  表面転写済ロール紙
【図１】
2005258251.tif 000003
【図２】
2005258251.tif 000004
【図３】
2005258251.tif 000005
【図４】
2005258251.tif 000006
【図５】
2005258251.tif 000007
【図６】
2005258251.tif 000008
【図７】
2005258251.tif 000009
【図８】
2005258251.tif 000010
【図９】
2005258251.tif 000011
【図１０】
2005258251.tif 000012